(57)【要約】      （修正有）【課題】  ハイビジョン映像の表示をオーバースキャンの表示を含めて、不要なノイズを消しつつ、可能な限り忠実な表示を行う技術を提供する。【解決手段】  デジタル放送受信機Ａは、デジタルチューナ１と、MPEGデコーダ２と、拡大縮小や映像調整などを行うデジタル信号処理装置（DSP）３と、液晶パネルを制御する制御信号を生成するパネルドライバ４と、液晶パネル５を含んでいる。ＤＳＰ３には、フィルタ処理部３ａが含まれている。規格上の値としてオーバースキャンを９０％（例えば上下５％分をカットして表示させる）とすると、フィルタ処理部３ａは、例えば、このオーバースキャン分のみに画像を変換するためのフィルタ処理を行う。【選択図】  図１
2006060382.tif 000002
【特許請求の範囲】
【請求項１】
映像データを受信する映像受信部と、受信した映像データに対して信号処理を行う信号処理部と、該信号処理部により処理された映像データに基づいて表示部に映像を表示させる表示制御部と、を有するデジタル放送受信機であって、
前記信号処理部は、表示する映像に対してフィルタ処理を行うフィルタ処理部と、フィルタ処理を行う範囲を指定するフィルタ処理範囲指定部と
を有することを特徴とするデジタル放送受信機。
【請求項２】
さらに、前記フィルタ処理範囲指定部によりオーバースキャン部分を指定してフィルタ処理を行うことを特徴とする請求項１に記載のデジタル放送受信機。
【請求項３】
さらに、デジタルノイズを判別するデジタルノイズ判別部を備え、
前記フィルタ処理範囲指定部により前記デジタルノイズ判別手段により判別されたデジタルノイズの存在する範囲を選択的に指定することを特徴とする請求項１又は２に記載のデジタル放送受信機。
【請求項４】
前記フィルタ処理部において表示範囲の中心方向に大きな重みを付けることを特徴とする請求項１から３までのいずれか１項に記載のデジタル放送受信機。
【請求項５】
表示の周辺部方向に向けて前記フィルタ処理部における局所領域サイズを増加させることによりフィルタ処理の有効範囲を増やすことを特徴とする請求項１から４までのいずれか１項に記載のデジタル放送受信機。
【請求項６】
映像データを受信する映像受信部と、受信した映像データに対して信号処理を行う信号処理部と、該信号処理部により処理された映像データに基づいて表示部に映像を表示させる表示制御部と、を有するデジタル放送受信機であって、
映像から表示対象を画像認識する画像認識部と、
表示対象に関する映像データを格納するデータベースと、
該データベースを検索する検索部と、
前記画像認識部により認識された表示対象物と前記データベース内の映像データとに基づいて、映像の続きを予測し補完する手段と
を有することを特徴とするデジタル放送受信機。
【請求項７】
数フレーム分の映像を保存する保存手段を有し、
該保存手段に保存されている数フレームの映像について一括してフィルタ処理及び画像処理を行うことを特徴とする請求項１から６までのいずれか１項に記載のデジタル放送受信機。
【請求項８】
特定範囲において元画像とフィルタ処理後の画像との差を算出することにより部分的にノイズの有り無しを判定する判定手段と、
該判定手段により判定された部分的にノイズのある範囲にフィルタ処理を行う手段とを具備することを特徴とする請求項１から７までのいずれか１項に記載のデジタル放送受信機。
【請求項９】
前記フィルタ処理又は画像処理を行った後に表示する制御と、
オーバースキャン部を単純にマスクして表示する制御と、
オーバースキャン部が隠れるように拡大して表示する制御と、のうちからいずれかを選択する選択手段を有することを特徴とする請求項１から８までのいずれか１項に記載のデジタル放送受信機。
【請求項１０】
前記フィルタ処理又は画像処理を行った後に表示する制御と、
前記フィルタ処理及び前記画像処理のいずれも行わずにそのまま表示する制御と、のうちからいずれかを選択する選択手段を有することを特徴とする請求項１から８までのいずれか１項に記載のデジタル放送受信機。
【請求項１１】
前記フィルタ処理と前記画像処理を行った後の表示に基づいて所望の処理を選択して表示させる選択表示手段を有することを特徴とする請求項１から８までのいずれか１項に記載のデジタル放送受信機。
【請求項１２】
前記選択を、放送のチャンネル毎に設定する手段を有することを特徴とする請求項９から１１までのいずれか１項に記載のデジタル放送受信機。
【発明の詳細な説明】
【技術分野】
【０００１】
本発明は、デジタル放送受信機に関し、より詳細には、液晶テレビやプラズマディスプレイ、有機ELディスプレイなど、表示装置が１ドットごとの画素を持ったデジタル機器において、例えば横１９２０×縦１０８０のハイビジョンをそのまま表示できるデジタル放送受信機に関する。
【背景技術】
【０００２】
例えばブラウン管テレビでは、偏向不足によって映像の縁が出ないように、テレビジョン信号の全てを表示する領域であるフルフレームオーバースキャン処理を行うことにより、オーバースキャン部分であるフルフレームの端の部分をカットして表示する、アナログ的に拡大処理を行っていた。
【０００３】
一方、解像度が縦１３６８、横７６８画素程度しかないプラズマテレビや液晶テレビなどでは、オーバースキャン分を差し引いてデジタル画像処理によって縮小表示を行っていた。また、特許文献１は、パーソナルコンピュータのディスプレイとしてオーバースキャンを考慮しているが、一般的なテレビ映像、特にハイビジョン映像に関するオーバースキャンを考慮した技術は存在しない。
【０００４】
【特許文献１】特開平１０−５６６０２号公報
【発明の開示】
【発明が解決しようとする課題】
【０００５】
一般的なハイビジョン映像は、縦１９２０×横１０８０ドットの画素を基づく映像であるが、本来、オーバースキャンを加味して、画面の上下５〜１０％程度の領域は実表示上映らないことを想定している。例えば、旧ハイビジョンのＢＳ９チャンネルで使用されている１０３５ｉや一般的な放送で使われているＮＴＳＣの信号をアップコンバートする際には、表示画面の上下にノイズが入る場合がある。
【０００６】
このような状況下においてオーバースキャンを考慮すると、ノイズを隠すためにノイズ部分を表示画面よりも外側の領域に追い出すように表示を拡大するか、或いは、オーバースキャン分をマスクする必要がある。すなわち、ハイビジョンパネルとして縦１９２０×横１０８０画素の解像度のパネルを準備しても、実際にはハイビジョンパネルの実力を発揮できない。
【０００７】
本発明の目的は、ハイビジョン映像の表示をオーバースキャンの表示も含めて、不要なノイズを消しつつ、可能な限り忠実な表示を行う技術を提供することである。
【課題を解決するための手段】
【０００８】
本発明は、フィルタ処理などにより、オーバースキャン部のノイズをカットすることを特徴とする。さらに、フィルタ処理以外の表示制御も選択可能にする。
【０００９】
本発明の一観点によれば、映像データを受信する映像受信部と、受信した映像データに対して信号処理を行う信号処理部と、該信号処理部により処理された映像データに基づいて表示部に映像を表示させる表示制御部と、を有するデジタル放送受信機であって、前記信号処理部は、表示する映像に対してフィルタ処理を行うフィルタ処理部と、フィルタ処理を行う範囲を指定するフィルタ処理範囲指定部とを有することを特徴とするデジタル放送受信機が提供される。このフィルタ処理は、主として帯域制限によるフィルタ処理である。フィルタ処理を行う部分を指定することにより、例えばデジタルノイズの影響を受けている領域もきれいに表示させることができる。
【００１０】
さらに、前記フィルタ処理範囲指定部によりオーバースキャン部分を指定してフィルタ処理を行う制御を行うことを特徴とする。これにより、オーバースキャン部も表示部に表示させることができる。
【００１１】
さらに、デジタルノイズを判別するデジタルノイズ判別部を備え、前記フィルタ処理範囲指定部により前記デジタルノイズ判別手段により判別されたデジタルノイズの存在する範囲を選択的に指定することを特徴とする。この場合には、１画素に着目して、それがノイズであるかそうでないかで処理を変える。すなわち、ある１画素とその周りとの比較で浮いた画素の削除を行う。
【００１２】
前記フィルタ処理部において表示範囲の中心方向に大きな重みを付けることも可能である。これにより、色及び輝度をなだらかに変化させることができ、オーバースキャンの部分に適用できる映像を精製することができる。
【００１３】
表示の周辺部方向に向けて前記フィルタ処理部における局所領域サイズを増加させることによりフィルタ処理の有効範囲を増やすことを特徴とする。表示部の端に行くほど、映像が重要ではないと判断し、ノイズへのフィルタリング量を強めることで、よりきれいな表示をすることができる。
【００１４】
本発明の他の観点によれば、映像データを受信する映像受信部と、受信した映像データに対して信号処理を行う信号処理部と、該信号処理部により処理された映像データに基づいて表示部に映像を表示させる表示制御部と、を有するデジタル放送受信機であって、映像から表示対象を画像認識する画像認識部と、表示対象に関する映像データを格納するデータベースと、該データベースを検索する検索部と、前記画像認識部により認識された表示対象物と前記データベース内の映像データとに基づいて、映像の続きを予測し補完する手段とを有することを特徴とするデジタル放送受信機が提供される。
【００１５】
これにより、単純に帯域制限によるフィルタではなく、画像処理を用いてノイズの部分を補うことができる。
【００１６】
また、数フレーム分の映像を保存する保存手段を有し、該保存手段に保存されている数フレームの映像について一括してフィルタ処理及び画像処理を行うこともできる。これにより、より精度の高い画像にするとともに、前後の画像における違いを少なくすることができる。
【００１７】
また、特定範囲において元画像とフィルタ処理後の画像との差を算出することにより部分的にノイズの有り無しを判定する判定手段と、該判定手段により判定された部分的にノイズのある範囲にフィルタ処理を行う手段とを具備しても良い。この場合には、ある範囲でノイズがあるかどうかを判定し処理を変える。例えば、ある範囲でフィルタをかけたものと元画像との比較で殆ど変わらない場合は現画像を優先するようにする。
【００１８】
前記フィルタ処理又は画像処理を行った後に表示する制御と、オーバースキャン部を単純にマスクして表示する制御と、オーバースキャン部が隠れるように拡大して表示する制御と、のうちからいずれかを選択する選択手段を有することを特徴とし、ユーザに選択の自由度を与えることができる。
【発明の効果】
【００１９】
本発明によれば、オーバースキャンなどに起因するデジタルノイズを除去し高品質な映像を表示することができる。
【発明を実施するための最良の形態】
【００２０】
本発明の第１の実施の形態によるデジタル放送受信機について図面を参照しつつ説明を行う。図１は、本実施の形態によるデジタル放送受信機の一構成例を示す図であり、表示部に液晶を用いた液晶テレビを例にしている。図１に示すように、本実施の形態によるデジタル放送受信機Ａは、RF信号を受信し、特定の周波数に同調してTSデータを出力するデジタルチューナ１と、TSデータからMPEG映像を抜き出し、MPEG変換のためのデコードを行い映像を出力するMPEGデコーダ２と、拡大縮小や映像調整などを行うデジタル信号処理装置（DSP）３と、液晶パネルを制御する制御信号を生成するパネルドライバ４と、液晶パネル５と、を含んでいる。ＤＳＰ３には、フィルタ処理部３ａが含まれている。
【００２１】
以下、上記デジタル放送受信機の動作について説明を行う。ユーザによって、あるチャンネルに選局された場合は、チューナ１で特定の周波数に同調し、チューナ１から出力されるTSデータをMPEGデコーダ２で受け、そこから出力される映像をDSP３に入力し画像処理などを行ったうえ、RGBデータがパネルドライバ４に渡され、パネル５が駆動され映像が表示される。
【００２２】
次に、液晶パネルの表示画面上のある範囲にフィルタをかける例について説明する。本実施の形態においては、仮にオーバースキャンを９０％（上下５％分をカットして表示させる）とし、例えば、このオーバースキャン分のみに画像を変換するためのフィルタ処理を行う。
【００２３】
【数１】
2006060382.tif 000003
【００２４】
フィルタ処理に関する式として上記の（１）式を用い、元画素はｆ（ｉ，ｊ） 、フィルタ係数をｈｉｊ（ｋ，ｌ） 、フィルタ処理後の画素をｇ（ｉ，ｊ） とする。ある画素に関する画像データを考慮する周辺画素の数、すなわち局所領域サイズを３×３画素とするので、ある画素に対して±１の画素の画像情報を考慮する、すなわちM=1,N=1とする。ハイビジョン映像における解像度は、縦１０８０×横１９２０ドットであるので、それぞれ５％分を考慮して、縦０〜５３、１０２６〜１０７９、横０〜９５、１８２４〜１９１９の範囲がオーバースキャンされる領域となる。
【００２５】
【数２】
2006060382.tif 000004
【００２６】
この場合のオーバースキャンされる領域におけるフィルタ係数を（２）式のｈｉ１ｊ１とする。この場合には中心部分の重み付けを大きくし、中心から離れるに従って重み付けを小さくしている。また、その他の映像の範囲を（３）式のｈｉ２ｊ２とし、中心以外の重み付けを“０”とすることによりフィルタをかけないようにすることができる。これにより、図２に示す表示領域１１内の実際の表示対象１５が表示されないオーバースキャンされる領域１７のノイズを対象としてフィルタリング処理によりノイズ除去を行うことができる。図３が図２の画像に対してフィルタリング処理を行った後の画像を示す図である。図３に符号１７で示す領域において、図２では見られたノイズが除去されている。
【００２７】
【数３】
2006060382.tif 000005
【００２８】
【数４】
2006060382.tif 000006
【００２９】
また、上記（８）式で示されるフィルタ係数において、式（４）を用い、周囲の情報から予測されるデータを取り出せるが、それを式（５）に示すように元々の画素のデータと比較し一定以上の差がある場合はノイズと見なして予測されるデータと置き換え（式（６））、それ以外の場合は元のデータを使用するようにし（式（７））、デジタルノイズを除去するようにすることもできる。
【００３０】
【数５】
2006060382.tif 000007
【００３１】
【数６】
2006060382.tif 000008
【００３２】
或いは、上下左右でフィルタ係数を変えてもよい。例えば上部にフィルタをかける際には式（９）に示すように、中心方向の情報に大きな重み（４／８）を付けることもできる。また、式（１０）のフィルタ係数のように、元画素情報を使わない方法（元画像の重み付けが“０”）を用いても良い。この際、図４に示すように表示画面２１を左右一方向（符号２３で示す矢印）にスキャンし、順次上下方向にスキャン位置を移動させる方法の他に、図５に示すように、表示画面２１において符号２５で示すように渦巻き状のスキャン方法にすることで、既に使用済みの情報を再利用してもよい。左右の領域及び下部の領域も同様に処理を行うことができる。
【００３３】
【数７】
2006060382.tif 000009
【００３４】
また、式（１１）に示すように、局所領域サイズを５×５画素など増加させることも可能である。或いは、映像の端に行くに従って局所領域サイズを増加させるようにしてもフィルタ処理を行っても良い。このようにすると、映像の中心の方はより元画像に忠実に、端の方はよりノイズを検出しやすく、よりきれいな映像を表示する事ができる。
【００３５】
【数８】
2006060382.tif 000010
【００３６】
また、ｆ０（ｉ，ｊ） を対象フレームの元画素とし、ｆ−１（ｉ，ｊ）  を前フレームの画素、ｆ１（ｉ，ｊ）  を次フレームの画素とすると、式（１２）で、S=1とし、前後のフレームの平均を取ることができる。
【００３７】
【数９】
2006060382.tif 000011
【００３８】
また、式（１３）及び式（１４）の２つの式は、特定範囲の元画素とフィルタとの差を計算する式であり、この差が一定以上であれば（式（１５））、その領域にノイズがあると判断してフィルタ処理を適用し（式（１６））、この差が一定未満であれば、ノイズは無いと判断して元画素を使用するようにしてもよい（式（１８））。
【００３９】
尚、例えば液晶テレビのリモコンによるトグル（入力）切り替え、または、メニューでの切り替えなどで、上記で説明してきた図９のようなフィルタを使った映像の表示（表示領域４１とその内側の線４３との間の領域（オーバースキャン領域）にフィルタを施し、内側の線の内部の領域に表示物４５が表示されている）、または図１０のようなオーバースキャン領域４３ｂ（内側の境界線４３ａにより画定される領域）をマスクした映像の表示、図１１のようにオーバースキャン部分４３ｂが隠れるように拡大した映像の表示に切り替えられるようにしてもよい。
【００４０】
また、図１２に示すように、オーバースキャン表示設定に関する設定切り替えメニュー（設定１（４７ｂ）、設定２（４７ｃ）、設定３（４７ｄ））を用意しておき、所望のフィルタ処理を選択できるようにしても良い。また設定をチャンネル毎に独立して保存しておいてもよい。
【００４１】
以上、本実施の形態によるデジタル放送受信機においては、ハイビジョン映像の表示を、オーバースキャンの表示も含めて表示させることができる。さらに、この際、不要なノイズを消しつつ、可能な限り元データに忠実に表示することができるという利点がある。
【００４２】
次に、本発明の第２の実施の形態について図面を参照しつつ説明を行う。本実施の形態によるデジタル放送受信機は、映像データを受信する映像受信部と、受信した映像データに対して信号処理を行う信号処理部と、該信号処理部により処理された映像データに基づいて表示部に映像を表示させる表示制御部と、を有している点に関しては第１の実施の形態と同様である。但し、本実施の形態によるデジタル放送受信機は、映像から表示対象を画像認識する画像認識部と、表示対象に関する映像データを格納するデータベースと、このデータベースを検索する検索部と、画像認識部により認識された表示対象物とデータベース内の映像データとに基づいて、映像の続きを予測し補完する手段と、を有している。
【００４３】
すなわち、図７に示すように、例えば、木３７−２や雲３７−３や建物などの一般的な映像データを格納するデータベースとデジタル放送受信機とを関連付けしておき、図６に示す画像、すなわち画面３１内に水平線３３、木３７−１、２や雲３７−３が表示されている画像において、端に被っている物体、例えば木３７−２、雲３７−３を図８の破線で示すように認識させ、ノイズが乗っている部分を上述の方法、すなわち元画像との差分値に基づいて検出した後に、検出したその部分を映像データベースに格納された映像データ３７−２、３７−３（図７）を利用して補正することができる。
【００４４】
このようにすると、単純に帯域制限によるフィルタではなく、画像処理を使って、ノイズの部分を補うことが可能である。これらを任意に選択出来るように選択手段を設けると良い。第１の実施の形態による方法と第２の実施の形態による方法とを組み合わせても良い。
【産業上の利用可能性】
【００４５】
本発明は、ハイビジョン表示機能を備えた液晶テレビなどの映像表示装置に適用できる。
【図面の簡単な説明】
【００４６】
【図１】本発明の一実施の形態によるデジタル放送受信機の構成例を示す機能ブロック図である。
【図２】映像のオーバースキャン部分にデジタルノイズがのっている表示例を示す図である。
【図３】映像のオーバースキャン部分のノイズをカットした例である。
【図４】フィルタリングスキャンの一例を示す図である。
【図５】フィルタリングスキャンの別の例を示す図である。
【図６】ハイビジョン映像の一例を示す図である。
【図７】本発明の第２の実施の形態によるデジタル放送受信機における画像処理方法の例であって、画像データベース内に格納される画像データの一例を示す図である。
【図８】図７に示す画像データベース内の画像データを図６に示すハイビジョン映像に当てはめた例を示す図である。
【図９】フィルタ処理を適用した映像の表示例を示す図である。
【図１０】画面にマスキング処理を適用した映像の表示例を示す図である。
【図１１】映像を拡大表示させた例を示す図である。
【図１２】オーバースキャン表示設定メニューの例を示す図である。
【符号の説明】
【００４７】
１…デジタルチューナ、２…MPEGデコーダ、３…DSP（デジタル信号処理IC）、４…パネルドライバ。
【図１】
2006060382.tif 000012
【図２】
2006060382.tif 000013
【図３】
2006060382.tif 000014
【図４】
2006060382.tif 000015
【図５】
2006060382.tif 000016
【図６】
2006060382.tif 000017
【図７】
2006060382.tif 000018
【図８】
2006060382.tif 000019
【図９】
2006060382.tif 000020
【図１０】
2006060382.tif 000021
【図１１】
2006060382.tif 000022
【図１２】
2006060382.tif 000023